(57)【要約】【課題】    格納対象となる記憶媒体に複数のパーティション領域があることを許容し、且つ、記録すべき画像が静止画、動画のいずれであるかに応じて最適な格納先パーティション領域を決定することで、記憶媒体が持つメモリ領域を有効活用することを可能にする。【解決手段】  リムーバブルメディア１０７が接続された場合、そのリムーバブルメディア１０７に設定された複数のパーティション領域を識別し、各パーティション領域のデータ格納単位であるクラスタサイズを検出し、その結果を情報記憶部１１１に格納する。システムコントローラ１０８は、撮像した静止画像をリムーバブルメディア１０７にファイルとして保存する場合には、クラスタサイズの小さいパーティション領域から優先して格納する。また、動画像を格納する際には、クラスタサイズの大きなパーティション領域から優先して格納する。【選択図】  図１
2005352899.tif 000002
【特許請求の範囲】
【請求項１】
着脱自在でランダムアクセス可能な記憶媒体に、静止画像、動画像それぞれをファイルとして記録する画像記録装置であって、
装着した記憶媒体に設定された複数のパーティション領域を識別し、各パーティション領域のデータ格納単位であるクラスタサイズを検出する検出手段と、
静止画像を前記記憶媒体にファイルとして保存する場合には、クラスタサイズの小さいパーティション領域から優先して格納する静止画格納制御手段と、
動画像を前記記憶媒体にファイルとして保存する場合には、クラスタサイズの大きなパーティション領域から優先して格納する動画像格納制御手段と
を備えることを特徴とする画像記録装置。
【請求項２】
更に、前記記憶媒体に格納するための動画像、静止画像を撮像する撮像手段を備えることを特徴とする請求項１に記載の画像記録装置。
【請求項３】
前記検出手段は、装置の電源がＯＮした初期段階、及び、記憶媒体が脱着した場合に実行することを特徴とする請求項１又は２に記載の画像記録装置。
【請求項４】
着脱自在でランダムアクセス可能な記憶媒体に、静止画像、動画像それぞれをファイルとして記録する画像記録装置の制御方法であって、
装着した記憶媒体に設定された複数のパーティション領域を識別し、各パーティション領域のデータ格納単位であるクラスタサイズを検出する検出工程と、
静止画像を前記記憶媒体にファイルとして保存する場合には、クラスタサイズの小さいパーティション領域から優先して格納する静止画格納制御工程と、
動画像を前記記憶媒体にファイルとして保存する場合には、クラスタサイズの大きなパーティション領域から優先して格納する動画像格納制御工程と
を備えることを特徴とする画像記録装置の制御方法。
【発明の詳細な説明】
【技術分野】
【０００１】
本発明は動画像や静止画像を記憶媒体へ記録する技術に関するものである。
【背景技術】
【０００２】
一般に、リムーバブルメディアはクラスタを単位に情報を記憶する。１クラスタは複数のセクタをまとめたものである。クラスタのサイズはファイルシステムやメディアの容量によっても変化する。クラスタはファイルを扱うための最小単位であるため、１クラスタの容量に満たない小さなデータでもファイルとして保存すると１クラスタの領域を使用する。そのため、１つのリムーバブルメディアに格納するファイル数が増えると無駄な領域の合計容量も増えていき、リムーバブルメディアが持つ全記憶容量を活用することはできない。換言すれば、１クラスタのサイズが小さいと、無駄に消費するサイズも小さくなり、記録可能な容量を増やすことができることを意味する。
【０００３】
一方、動画のような一連の大きなデータの場合、同じサイズのファイルであれば１クラスタの容量が大きいほどファイルを構成するクラスタ数が減るため、クラスタへのアクセス回数が減りメディアへのアクセス速度が速くなる。これらのことから扱うデータサイズ（クラスタサイズと言い換えても良い）とアクセス速度とは、互いにトレードオフの関係にあると言える。
【０００４】
さて、メディアのアクセス速度向上のためにユーザがリムーバブルメディアの最適フォーマットを変更できる手法が知られている（特許文献１）。さらにリムーバブルメディアのフォーマットを初期化する際に、ユーザが容量を重視するかアクセス速度を重視するかを選択できる手法も知られている（特許文献２）。
【特許文献１】特開平１１−１１２９３７号公報
【特許文献２】特開２００４−８０４６１公報
【発明の開示】
【発明が解決しようとする課題】
【０００５】
しかし、デジタルカメラやデジタルビデオカメラ等の撮像装置でリムーバブルメディアを使用する際、最初のフォーマットによってその後の性質が決定されてしまうことになり、記録する画像の性質に応じて適応的に対処するには至っていないのが現状である。
【０００６】
本発明はかかる課題に鑑みなされたものであり、格納対象となる記憶媒体に複数のパーティション領域があることを許容し、且つ、記録すべき画像が静止画、動画のいずれであるかに応じて最適な格納先パーティション領域を決定することで、記憶媒体が持つメモリ領域を有効活用する技術を提供しようとするものである。
【課題を解決するための手段】
【０００７】
この課題を解決するため、例えば本発明の画像記録装置は以下の構成を備える。すなわち、
着脱自在でランダムアクセス可能な記憶媒体に、静止画像、動画像それぞれをファイルとして記録する画像記録装置であって、
装着した記憶媒体に設定された複数のパーティション領域を識別し、各パーティション領域のデータ格納単位であるクラスタサイズを検出する検出手段と、
静止画像を前記記憶媒体にファイルとして保存する場合には、クラスタサイズの小さいパーティション領域から優先して格納する静止画格納制御手段と、
動画像を前記記憶媒体にファイルとして保存する場合には、クラスタサイズの大きなパーティション領域から優先して格納する動画像格納制御手段とを備える。
【発明の効果】
【０００８】
本発明によれば、格納対象となる記憶媒体に複数のパーティション領域があることを許容し、且つ、記録すべき画像が静止画、動画のいずれであるかに応じて最適な格納先パーティション領域を決定することで、記憶媒体が持つメモリ領域を有効活用することが可能になる。
【発明を実施するための最良の形態】
【０００９】
以下、添付図面に従って本発明に係る実施形態を詳細に説明する。
【００１０】
図１は、実施形態における動画・静止画を撮像記録するデジタルビデオカメラのブロック構成図である。以下に、その構成をその動作処理と共に説明する。
【００１１】
光学ユニット（レンズ、絞り、及びそれらを駆動するモータ等で構成される）１０１から取り込まれた外光は撮像素子１０２面上に結像し、電気的な信号に変換される。この信号は画像処理部１０３に供給され、デジタル画像データとなる。画像データは画像表示部（液晶表示装置）に表示され、撮像画像として確認可能となる。
【００１２】
リムーバブルメディア（書き込み可能な記憶媒体）に書き込まれるデータは動画の場合、動画圧縮/伸長部１０５ａで、静止画の場合は静止画圧縮/伸長部１０５ｂで画像圧縮されメディアインターフェイス１０６経由でリムーバブルメディア１０７に書き込まれる。また逆にリムーバブルメディア１０７のデータを再生する場合はメディアインターフェイス１０６を通して圧縮/伸長部１０５ａ、１０５ｂにて伸長され画像処理部１０３を経由で映像表示部１０４に表示される。なお、場合によっては外部出力端子より外部装置（外部表示装置）に再生信号を出力することも可能である。
【００１３】
システムコントローラ１０８は、マイクロプロセッサ及びその処理手順であるプログラム（後述する各フローチャートに対応する）を格納するＲＯＭ、及び、ワークエリアとして使用するＲＡＭで構成される。そして、このシステムコントローラ１０８は、画像処理部１０３、動画圧縮/伸長部１０５ａ、静止画圧縮/伸長部１０５ｂ、メディアインターフェイス１０６、光学ユニット制御部１０９を制御する。また、ユーザは操作部１１０に設けられた各種スイッチ、ボタン、ダイヤル等を操作して使用して装置の操作を行う。システムコントローラ１０８は必要に応じて情報記憶部１１１に情報を記憶することができる。
【００１４】
図２に、実施形態におけるリムーバブルメディアのデータ構造とシステムコントローラ１０８の関係を示す。実施形態では、同一リムーバブルメディア１２１を３つのパーティション領域（領域Ａ、Ｂ、Ｃ）１２３乃至１２５を有し、それぞれフォーマットされているものとして説明する。各パーティション領域は、例えば、デジタルカメラでは標準のファイルシステムとなっているＦＡＴ１６でフォーマットされているものとする。
【００１５】
リムーバブルメディア１０７を装置に装着した直後、或いは、本装置の電源がＯＮになると、システムコントローラ１０８はメディア内に存在するファイルシステムを認識し、各領域Ａ乃至Ｃのクラスタサイズを検出する。この検出情報は情報記憶部１１１に記憶され、リムーバブルメディアが取り外しされるかもしくは装置の電源切られるまで保持される。
【００１６】
なお、ＦＡＴ１６のファイルシステムの場合、領域サイズが１ＧＢ超〜２ＧＢではクラスタサイズは３２ＫＢ、同５１２ＭＢ超〜１ＧＢではクラスタサイズは１６ＫＢ、同２５６Ｍ超〜５１２ＭＢではクラスタサイズは８ＫＢとなる。
【００１７】
以下では、説明を簡単なものとするため、各パーティション領域のクラスタサイズは、
Ａ＞Ｂ＞Ｃ
の関係にあるものとして説明する。
【００１８】
静止画の場合、１つ１つの画像をＪＰＥＧ符号化した結果をファイルとして格納するが、一般に、ＪＰＥＧ符号化は可変長符号化を採用しているので、ＪＰＥＧファイルのサイズは固定とはならない。仮に、或る１つの静止画データ（ＪＰＥＧ画像データ）が５００ＫＢであり、それをクラスタサイズ３２ＫＢのパーティションに格納する場合を想定すると、
５００／３２＝１５  余り  ２０
となり、１６個のクラスタを消費し、その最後のクラスタの３２ＫＢ中の１２ＫＢ（＝３２−２０）は無駄な領域として消費される。
【００１９】
同じ条件で、クラスタサイズが８ＫＢであるとしたとき、
５００／８＝６２  余り  ４
となり、６３個のクラスタを消費し、その最後のクラスタの８ＫＢ中の４ＫＢが無駄な領域となる。つまり、無駄に消費されるメモリサイズは、クラスタサイズによって異なることがわかる。
【００２０】
静止画の場合、上記のようにそのサイズは固定とはならない。１ファイルにつき無駄に消費されるデータ量は平均してクラスタサイズの半分となる。つまり、ファイル数がＮ個あって、クラスタサイズをＣとしたとき、無駄に消費してしまうメモリ量は、ほぼ
Ｎ×Ｃ／２
となる。すなわち、無駄に消費されるメモリサイズは、クラスタサイズとファイル数に比例する。
【００２１】
また、静止画の場合、１つ１つのファイルサイズは動画のそれより小さいが、ファイル数は多くなる傾向にある。また、静止画の場合には、動画ほど、リムーバブルメディアに対して、高速な書き込み／読出しは要求されない。
【００２２】
以上の考察のように、静止画の格納先は、クラスタサイズの小さなパーティション領域にすると、無駄なメモリ消費を少なくでき、都合が良いことがわかる。
【００２３】
一方、動画像ファイルの場合、そのファイルサイズは、撮像時間に依存するものの、静止画より遥かに大きなものとなる。そして、一般にファイル数は静止画と比較して少なくなる傾向がある。換言すれば、１つの動画像ファイルに占める無駄に消費される領域の比率は小さなものとなるわけであるから、クラスタサイズが大きくてもさほど問題にはならないし、アクセス速度の点でもクラスタサイズが大きい方が望ましい（クラスタサイズが大きい分だけアクセス回数が減る）。
【００２４】
説明を戻す。実施形態におけるリムーバブルメディア１０７のパーティション領域Ａ，Ｂ，Ｃのクラスタサイズは、Ａ＞Ｂ＞Ｃの関係にあって、この情報を情報記憶部１１１に格納している。
【００２５】
従って、動画書き込みの際には、システムコントローラ１０８は情報記憶部１１１の情報に基づき、書き込み先として、リムーバブルメディア１０７のクラスタサイズの最も大きい（従ってアクセス速度の最も速い）領域Ａを選択し、メディアインターフェイス１０６を通してデータを記録する。なお、領域Ａの記録可能残容量が無くなった場合、次回の動画記録開始時には、領域Ａ以外の領域から最もアクセス速度の速い領域（実施形態ではパーティション領域Ｂ）を選択し記録を行う。
【００２６】
一方、静止画書き込みの際には、システムコントローラ１０８は情報記憶部１１１の情報に基づき、書き込み先として、リムーバブルメディア１０７のクラスタサイズの最も小さいパーティション領域Ｃを選択し、メディアインターフェイス１０６を通してデータを記録する。なお、パーティション領域Ｃの記録可能残容量が無くなった場合、次回の動画記録開始時には、領域Ｃ以外の領域から最もクラスタサイズの小さいパーティション領域Ｂを選択し記録を行う。
【００２７】
以上、実施形態の概要を説明したが、システムコントローラ１０８の処理の詳細を以下に説明する。
【００２８】
先ず、本装置の電源がＯＮした初期段階、及び、電源ＯＮの状態でリムーバブルメディアを抜き差しされた場合（不図示のセンサで検出した場合）の処理を図３のフローチャートに従って説明する。
【００２９】
先ず、ステップＳ１にて装着されたリムーバブルメディアのパーティション解析を行い、ステップＳ２にて各パーティションのクラスタサイズを検出する。このクラスタサイズの検出は、パーティションの全容量から判定できる。
【００３０】
次いで、ステップＳ３に進んで、クラスタサイズの大きい順に、各パーティションを特定する情報（パーティション名、或いは、各パーティション領域のリムーバブルメディア内における開始アドレス）を情報記憶部１１１に格納する。次いで、ステップＳ４に進んで、デフォルトとして静止画、動画それぞれの記録モードを「自動記録モード」にし、それを情報記憶部１１１に格納する。
【００３１】
なお、リムーバブルメディアを抜き差しした場合、情報記憶部１１１は自動的に書き換えられるが、このとき、記録モードとして自動記録モードにしたことを示すメッセージを表示することが望ましい。理由は、後述する説明から明らかになるが、ユーザが格納すべきパーティションの順序を設定する場合があるからである。
【００３２】
図４は上記の処理の直後の情報記憶部１１１の状態を示している。図示に示すように、第１レコードには、自動記録モードフラグが設けられており、静止画、動画の記録モードが格納される（２ビットあれば十分）。
【００３３】
図３の処理直後では、静止画、動画それぞれの記録モードは自動記録モードになっている。次の第２レコードは、リムーバブルメディアのパーティション数を示す領域であり、その後に、動画像を記憶するパーティションの順番、静止画を記憶するパーティション順番が格納される。最後の「−」はそれ以降に有意なデータが存在しないことを示す所定コードを示している。図示に示すように、動画像と静止画の記録するパーティション領域の順番は逆となっている。
【００３４】
通常は、情報記憶部１１１は上記の通りで構わないが、利用者によっては、動画、静止画それぞれについて格納するパーティション領域を設定したいという要望に応えるため、情報記憶部１１１の内容を変更できるようにした。
【００３５】
図５（ａ）は操作部１１０よりメニュー表示指示キーが押下された際に画像表示部１０４に表示されるメニューを示している。図に示すように、設定項目としてはカメラ設定、カード設定、オーディオ設定、システム設定等の大項目のメニューが表示される。利用者は、操作部１１０に設けられた十字キーを操作して所望とする項目にカーソル５０を移動した後、「決定」キーを押下することで、その項目に対する更なる詳細設定メニューを表示させることが可能となっている。なお、「カメラ設定」では、圧縮率をはじめ、撮像解像度等が設定可能であるが、ここでは、「カード設定」、すなわち、装着されたリムーバブルメディアに対する設定が選択された場合を説明する。このとき、画像表示部１０４には同図（ｂ）のサブメニューが表示される。ここでは、パーティション＆フォーマット、動画及び静止画の記録モードが選択項目として表示されると共に、動画及び静止画については現在のモード（オート、マニュアルのいずれか）が表示される。パーティション＆フォーマットを選択すると、装着されたリムーバブルメディアのパーティションの削除、新規作成（領域サイズ）、並びに、そのパーティションにＦＡＴ１６のファイルシステムを作成するためのフォーマットが行える。
【００３６】
ここでは、「動画像記録モード」が選択された場合を説明する。これが選択されると、同図（ｃ）の画面を表示し、動画像を記録する際の順位を設定可能になる。例えば、図（ｃ）の状態ではカーソルがパーティションＡにあるので、この状態で、変更キーを操作し、上下キーを操作することで、隣接するパーティションと並びを交換できる。また、「オート」を選択すると、設定された順位は無視され、クラスタサイズの大きい順に並び変えられる。
【００３７】
このようにして、動画像の記録する順位を決定すると、その決定した順位が、デフォルトである自動モードの順番と違う場合には、情報記憶部１１１の第１レコード中の動画像記録モードのフラグをＯＦＦにし、設定されたパーティションの順番を格納している領域を変更する。
【００３８】
なお、図５（ｂ）において「静止画記録モード」を選択した場合は、「動画記録モード」と実質的に同じであるのは容易に理解できよう。従ってその説明は省略する。
【００３９】
次に、実施形態における撮像装置における全体処理を図６のフローチャートに従って説明する。
【００４０】
先ず、ステップＳ１１において、操作部１１０からの入力を待つ。何らかの入力がなされると、処理はステップＳ１２に進み、静止画撮影モードであるか、動画撮影モードか、或いはそれ以外かを判定する。撮影モード以外の指示入力の場合には、ステップＳ１３に進んで対応する処理を行う（例えば図５（ａ）に示すメニューによる各種設定処理）。
【００４１】
また、ステップＳ１２にて、静止画撮影モードが指示されたと判定した場合には、ステップＳ１４にて撮像した静止画の格納先パーティションを探索する処理を行う。そして、ステップＳ１５にて、格納先パーティションが探索に成功したか否か（格納すべき空き領域がない場合には、格納先パーティションの探索は失敗扱いになる）を判定する。格納先パーティションに探索できた場合には、ステップＳ１６に進み、操作部１１０に設けられたシャッターボタン等の押下に応じて、静止画の撮像と撮像画像の符号化を行い、ステップＳ１４にて探索したリムーバブルメディアのパーティション領域に静止画像ファイルとして格納する。なお、撮像の際、ＡＦ、ＡＥ処理等を行うが、それは本発明には直接には関係しないので、その説明については省略する。
【００４２】
一方、動画撮影モードが選択された場合、ステップＳ１７に進み、動画像の格納先パーティションを探索する。そして、ステップＳ１８にて格納先パーティションの探索が成功したか否かを判定する。格納先パーティションの探索に成功した場合には、ステップＳ１９に進み、操作部１１０に設けられた記録開始指示ボタンの押下に応じて、動画像の撮影と符号化処理、及び、決定されたリムーバブルメディアのパーティション領域に動画像のファイルとして蓄積を開始する。そして、ステップＳ２０にて、録画終了を示す指示が入力されたと判定するまで動画像の撮像を継続する。なお、動画像を蓄積している最中に、該当するパーティション領域がフル状態になった場合にも、終了と判定する。
【００４３】
次に、上記のステップＳ１４における静止画データの格納先パーティションの格納先探索処理を図７のフローチャートに従って説明する。
【００４４】
先ず、ステップＳ２１において、情報記憶部１１１から静止画を記録するパーティション領域の順序情報を読込む。ここで注意したい点は、電源投入時、或いは、リムーバブルメディアを装着してから、図５（ｃ）の表示画面（ユーザインタフェース）にてパーティションの順位を変更していない限りは、クラスタサイズの小さい順に並んでいることである。
【００４５】
次いで、ステップＳ２２にて変数ｉに初期値として“１”を設定し、情報記憶部１１１に格納されている静止画格納先のパーティション順位の一番目を差すように設定する。
【００４６】
そして、ステップＳ２３にて注目しているｉ番目のパーティション領域に空き領域があるか否かを判定する。空き領域がない場合には、ステップＳ２４に進んで、全パーティション（実施形態では３つの例であるので、変数ｉが“３”か否かで判定することになる）についてチェックしたか否かを判定する。この判定で否の場合には、ステップＳ２５で変数ｉを“１”だけ増加し、ステップＳ２３に戻る。また、全パーティションに空き領域がない場合には、エラー処理（撮影不可であることを示すメッセージの表示等）を行い、本処理のコール元に探索失敗を通知し、この処理を終える。
【００４７】
また、ｉ番目のパーティション領域に空き領域があると判定した場合には、ステップＳ２３からステップＳ２７に進み、ｉ番目のパーティション領域を探索結果としてコール元に返し、本処理を終える。
【００４８】
次に、図６の上記のステップＳ１７における動画像データの格納先パーティションの格納先探索処理を図８のフローチャートに従って説明する。
【００４９】
この処理は、図７とほぼ同じである。先ず、ステップＳ３１において、情報記憶部１１１から動画像を記録するパーティション領域の順序情報を読込む。本装置に電源投入時、或いは、リムーバブルメディアを装着してから、パーティションの順位を変更していない限りは、クラスタサイズの大きい順に並んでいることになる。
【００５０】
次いで、ステップＳ３２にて変数ｉに初期値として“１”を設定し、情報記憶部１１１に格納されている動画像格納先のパーティション順位の一番目を差すように設定する。
【００５１】
そして、ステップＳ３３にて注目しているｉ番目のパーティション領域に空き領域があるか否かを判定する。空き領域がない場合には、ステップＳ３４に進んで、全パーティション（実施形態では３つの例であるので、変数ｉが“３”か否かで判定することになる）についてチェックしたか否かを判定する。この判定で否の場合には、ステップＳ３５で変数ｉを“１”だけ増加し、ステップＳ３３に戻る。また、全パーティションに空き領域がない場合には、エラー処理（撮影不可であることを示すメッセージの表示等）を行い、本処理のコール元に探索失敗を通知し、この処理を終える。
【００５２】
また、ｉ番目のパーティション領域に空き領域があると判定した場合には、ステップＳ３３からステップＳ３７に進み、ｉ番目のパーティション領域を探索結果としてコール元に返し、本処理を終える。
【００５３】
以上説明したように、本実施形態によれば、撮像して得た動画像のファイル数は少ない傾向がある点、並びに、ファイルサイズが大きく、アクセス速度が要求される点に鑑みて、クラスタサイズの大きいパーティション領域に格納することで、メモリ使用効率上も問題とはなりにくく、且つ、静止画の格納領域を専有しにくくすることが可能になる。
【００５４】
一方、静止画の場合、個々のファイルサイズは動画像ファイルサイズよりも遥かに小さいものの、記録するファイル数が多くなる傾向にあることに鑑み、クラスタサイズの小さいパーティションを優先して格納することで、記憶媒体のメモリ使用効率を向上させることができるようになる。
【００５５】
なお、実施形態では、記憶媒体を特に特定しなかったが、ランダムアクセス可能で着脱自在な記憶媒体であればその種類を問わない。例えば半導体メモリカードでも良いし、スピンドル系の記憶媒体でも構わない。
【００５６】
また、実施形態では、記憶媒体に設けるパーティションのファイルシステムとしてＦＡＴ１６を例にして説明したが、これに限らず、他のファイルシステムでも良いし、異なるファイルシステムを混在させるようにしても構わない。要は、静止画の場合にはクラスタサイズの小さいファイルシステムを優先し、動画像はそれとは反対の性質のファイルシステムを優先するようにすればよい。
【００５７】
なお、１つの記憶媒体のメモリ領域を複数のパーティション領域に分割することで、副次的に、ファイルシステムのアクセス可能な最大サイズを越える容量を有する記憶媒体の利用が可能になるという作用効果を奏することに成功する。例えば、ＦＡＴ１６はその規格上、最大２ＧＢを上限としている。従って、２ＧＢを越えるメモリ容量を有する記憶媒体の場合、ＦＡＴ１６で１つのパーティションを設定してしまうと、残りのメモリ空間は未使用領域となってしまう。かかる点、複数のパーティション領域を設定することで、大容量の記憶媒体を利用することが可能となる。
【図面の簡単な説明】
【００５８】
【図１】実施形態における撮像装置のブロック構成図である。
【図２】実施形態における撮像装置におけるシステムコントローラのリムーバブルメディアに対するアクセス処理を模式的に示す図である。
【図３】装置電源ＯＮ時、或いは、リムーバブルメディアの装着の処理内容を示すフローチャートである。
【図４】実施形態における情報記憶部の記憶内容の例を示す図である。
【図５】実施形態におけるパーティション格納順を設定するためのＧＵＩに到達するまでの推移を示す図である。
【図６】実施形態における撮像装置の全体処理を示すフローチャートである。
【図７】図６のステップＳ１４の詳細を示すフローチャートである。
【図８】図６のステップＳ１７の詳細を示すフローチャートである。
【図１】
2005352899.tif 000003
【図２】
2005352899.tif 000004
【図３】
2005352899.tif 000005
【図４】
2005352899.tif 000006
【図５】
2005352899.tif 000007
【図６】
2005352899.tif 000008
【図７】
2005352899.tif 000009
【図８】
2005352899.tif 000010